(57)【要約】【課題】各種証明写真を簡易に作成できるようにする。【解決手段】証明写真機能付きデジタルカメラ１は、被写体を撮像し、デジタル画像データを出力する撮像手段１１と、各種証明書のフォームを記憶する証明写真フォーム記憶手段１２と、撮像手段１１から出力されたデジタル画像データ及び証明写真フォーム記憶手段１２で記憶された証明写真フォームを用いて証明写真データを生成する証明写真データ生成手段１３と、証明写真データ生成手段で生成された証明写真データを記憶する証明写真データ記憶手段１４と、証明写真データ記憶手段１４に記憶した証明書写真データを外部に出力する出力手段１５とを有する。【選択図】        図１
2005033501.tif 000002
【特許請求の範囲】
【請求項１】
被写体を撮像し、デジタル画像データを出力する撮像手段と、各種証明写真のフォームを記憶する証明写真フォーム記憶手段と、前記撮像手段から出力されたデジタル画像データ及び前記証明写真フォーム記憶手段で記憶された証明写真フォームを用いて証明写真データを生成する証明写真データ生成手段と、該証明写真データ生成手段で生成された証明写真データを記憶する証明写真データ記憶手段と、該写真データ生成手段が生成した証明写真データを外部に出力する出力手段とを有することを特徴とする証明写真機能付きデジタルカメラ。
【請求項２】
請求項１に記載の証明写真機能付きデジタルカメラにおいて、該証明写真機能付きデジタルカメラは、表示手段と、該表示手段に対して前記証明写真フォーム記憶手段に記憶した証明写真フォームを提示する証明写真フォーム提示手段と、該証明写真フォーム提示手段が提示した証明写真フォームから証明写真データを生成するための特定の証明写真フォームの選択を受け付けつけるフォーム選択手段とを有し、前記証明写真データ生成手段は、前記フォーム選択手段が受け付けた証明写真フォームを用いて、前記証明写真データを生成することを特徴とする証明写真機能付きデジタルカメラ。
【請求項３】
請求項１または２に記載の証明写真機能付きデジタルカメラにおいて、該証明写真機能付きデジタルカメラは、被写体となる人物の撮像範囲を前記表示手段に表示させるための撮像範囲指定手段を有することを特徴とする証明写真機能付きデジタルカメラ。
【請求項４】
請求項３に記載の証明写真機能付きデジタルカメラにおいて、前記撮像範囲指定手段は、被写体となる人物の撮像範囲を示す矩形の枠と、該人物の顔の大きさを指定する楕円の枠とを前記表示手段に表示させることを特徴とする証明写真機能付きデジタルカメラ。
【請求項５】
請求項４に記載の証明写真機能付きデジタルカメラにおいて、前記証明写真データ生成手段は、前記撮像範囲指定手段によって指定された矩形及び楕円形の枠に従って、証明写真データの生成に用いるデジタル画像データの範囲を決定し、使用する証明写真フォームに従って、デジタル画像データの変倍処理を行うことを特徴とする証明写真機能付きデジタルカメラ。
【請求項６】
請求項１ないし５のいずれか１に記載の証明写真機能付きデジタルカメラにおいて、該証明写真機能付きデジタルカメラは、前記撮像手段から出力されたデジタル画像データから、被写体となった人物部分の画像データを判別する人物データ判別手段を有し、前記証明写真データ生成手段は、前記人物データ判別手段が判別した人物部分の画像データのみを用い、人物背景を単色のベタにして前記証明写真データを生成することを特徴とする証明写真機能付きデジタルカメラ。
【請求項７】
請求項１ないし６のいずれか１に記載の証明写真機能付きデジタルカメラにおいて、該証明写真機能付きデジタルカメラは、前記出力手段によって証明写真データを出力する外部の印刷装置の仕様を設定する印刷装置設定手段を有し、前記証明写真データ生成手段は、前記印刷装置設定手段で設定された印刷装置の仕様に従って、生成する証明写真データの大きさを決定することを特徴とする証明写真機能付きデジタルカメラ。
【請求項８】
請求項１ないし７のいずれか１に記載の証明写真機能付きデジタルカメラにおいて、該証明写真機能付きデジタルカメラは、データ通信手段またはメール通信手段を有するカメラ付き携帯電話として構成され、前記証明写真データ生成手段によって生成された証明写真データを前記データ通信機能もしくはメール機能を使用して送信相手先に送信可能としたことを特徴とする証明写真機能付きデジタルカメラ。
【請求項９】
請求項１ないし８のいずれか１に記載の証明写真機能付きデジタルカメラと、該証明写真機能付きデジタルカメラから出力された証明写真データを入力し、該入力した証明写真データを印刷出力する印刷装置とを有する証明写真作成システム。
【請求項１０】
請求項１ないし７のいずれか１に記載の証明写真機機能付きデジタルカメラと、該証明写真機能付きデジタルカメラから送信された証明写真データを受信可能なセンタシステムとを有し、該センタシステムによって証明写真を用いた各種申請を行うサービスを提供できるようにした証明書申請システムであって、前記センタシステムは、証明写真の添付が必要な各種の申請書類のフォームを記憶する申請フォーム記憶手段と、前記証明写真機能付きデジタルカメラから送信された証明写真データと前記申請フォーム記憶手段に記憶した申請フォームとを合成して申請書類データを作成する申請書類データ作成手段と、該申請種類データ作成手段によって作成された申請書類データを証明写真機能付きデジタルカメラから指定された通信端末装置に送信する申請書類データ送信手段を有することを特徴とする証明書申請システム。
【請求項１１】
請求項１０に記載の証明書申請システムにおいて、前記センタシステムは、前記証明写真機能付きデジタルカメラから携帯電話のデータ通信機能またはメール機能を使用して、携帯電話のキャリヤのシステムを介して前記証明写真データを受信することを特徴とする証明書申請システム。
【請求項１２】
請求項１０に記載の証明書申請システムにおいて、前記センタシステムは、前記証明写真機能付きデジタルカメラの証明写真データを、インターネットを介して受信することを特徴とする証明書申請システム。
【請求項１３】
請求項１０ないし１２のいずれか１に記載の証明書申請システムにおいて、前記センタシステムは、該申請書類データ作成手段によって作成された申請書類データを、該当する申請先のシステムにオンラインで申請する電子申請実行手段を有することを特徴とする証明書申請システム。
【請求項１４】
請求項１３に記載の証明書申請システムにおいて、前記センタシステムが申請を行う申請先は、電子自治体、警察の免許証交付システム、旅券事務所のシステム、を含むことを特徴とする証明書申請システム。
【請求項１５】
請求項１０ないし１４のいずれか１に記載の証明書申請システムにおいて、該証明書申請システムは、印刷装置を有し、該印刷装置は、前記証明写真機能付きデジタルカメラから証明写真データを有線または無線にて受信する証明写真データ受信手段と、該証明写真データ受信手段が受信した証明写真データを前記センタシステムにオンラインで送信する証明写真データ送信手段と、前記センタシステムで作成された申請書類データを受信する申請書類データ受信手段と、該申請書類データ受信手段が受信した申請書類データを印刷出力する印刷手段とを有することを特徴とする証明書申請システム。
【発明の詳細な説明】
【０００１】
【発明の属する技術分野】
本発明は、証明写真機能付きデジタルカメラ、証明写真印刷システム、証明書申請システムに関し、より詳細には、各種証明写真を簡易に撮影することができるようにしたデジタルカメラと、そのデジタルカメラで撮影したデータを用いて各種の証明書類の作成，印刷，申請のサービスを提供できるようにしたシステムに関する。
【０００２】
【従来の技術】
例えば、自動車運転免許証や、身分証明書、パスポート等の申請には、その申請書類に適合した形式の証明写真を貼付する必要がある。このような、証明写真を用意する場合には、デジタルカメラが普及しているにもかかわらず、写真スタジオや証明写真のボックスに行って証明写真を撮影する必要があった。
【０００３】
例えば、特許文献１には、被撮影者の顔画像における頭頂部が窓枠から外れているか否かを検出し、窓枠から外れている場合には、再撮影を指示するようにした証明写真用の撮影装置が開示されている。
【０００４】
【特許文献１】
特開平２００３−１４３５３５号公報
【０００５】
【発明が解決しようとする課題】
しかしながら、上記文献の撮影装置は、撮影ボックス内に撮影装置が固定され、ボックス内の椅子に被撮影者がすわって証明写真を撮影するようにしたものであって、上述のように、ユーザがデジタルカメラやプリンタを用いて身近で簡便に証明写真を撮影できるようにしたシステムではなかった。
【０００６】
また、デジタルカメラで撮影した証明写真データをオンラインで受信し、各種証明書の申請書類を作成して、撮影者に返信したり、電子自治体等の申請先に対して電子申請サービスを行うことができるようにしたシステムは提供されていない。
【０００７】
本発明は、上述のごとき実情に鑑みてなされたもので、簡易に各種証明写真を撮影できるようにした証明写真機能付きデジタルカメラと、そのデジタルカメラで撮影した証明写真データを印刷できるようにした証明写真作成システムと、上記の証明写真機能付きデジタルカメラによって撮影した証明写真データを用いて申請書類の作成と申請サービスとを供することができるようにした証明書申請システムとを提供することを目的とするものである。
【０００８】
【課題を解決するための手段】
請求項１の発明は、被写体を撮像し、デジタル画像データを出力する撮像手段と、各種証明写真のフォームを記憶する証明写真フォーム記憶手段と、前記撮像手段から出力されたデジタル画像データ及び前記証明写真フォーム記憶手段で記憶された証明写真フォームを用いて証明写真データを生成する証明写真データ生成手段と、該証明写真データ生成手段で生成された証明写真データを記憶する証明写真データ記憶手段と、該写真データ生成手段が生成した証明写真データを外部に出力する出力手段とを有することを特徴としたものである。
【０００９】
請求項２の発明は、請求項１の発明において、該証明写真機能付きデジタルカメラが、表示手段と、該表示手段に対して前記証明写真フォーム記憶手段に記憶した証明写真フォームを提示する証明写真フォーム提示手段と、該証明写真フォーム提示手段が提示した証明写真フォームから証明写真データを生成するための特定の証明写真フォームの選択を受け付けつけるフォーム選択手段とを有し、前記証明写真データ生成手段は、前記フォーム選択手段が受け付けた証明写真フォームを用いて、前記証明写真データを生成することを特徴としたものである。
【００１０】
請求項３の発明は、請求項１または２の発明において、該証明写真機能付きデジタルカメラが、被写体となる人物の撮像範囲を前記表示手段に表示させるための撮像範囲指定手段を有することを特徴としたものである。
【００１１】
請求項４の発明は、請求項３の発明において、前記撮像範囲指定手段が、被写体となる人物の撮像範囲を示す矩形の枠と、該人物の顔の大きさを指定する楕円の枠とを前記表示手段に表示させることを特徴としたものである。
【００１２】
請求項５の発明は、請求項４の発明において、前記証明写真データ生成手段が、前記撮像範囲指定手段によって指定された矩形及び楕円形の枠に従って、証明写真データの生成に用いるデジタル画像データの範囲を決定し、使用する証明写真フォームに従って、デジタル画像データの変倍処理を行うことを特徴としたものである。
【００１３】
請求項６の発明は、請求項１ないし５のいずれか１の発明において、該証明写真機能付きデジタルカメラが、前記撮像手段から出力されたデジタル画像データから、被写体となった人物部分の画像データを判別する人物データ判別手段を有し、前記証明写真データ生成手段は、前記人物データ判別手段が判別した人物部分の画像データのみを用い、人物背景を単色のベタにして前記証明写真データを生成することを特徴としたものである。
【００１４】
請求項７の発明は、請求項１ないし６のいずれか１の発明において、該証明写真機能付きデジタルカメラが、前記出力手段によって証明写真データを出力する外部の印刷装置の仕様を設定する印刷装置設定手段を有し、前記証明写真データ生成手段は、前記印刷装置設定手段で設定された印刷装置の仕様に従って、生成する証明写真データの大きさを決定することを特徴としたものである。
【００１５】
請求項８の発明は、請求項１ないし７のいずれか１の発明において、該証明写真機能付きデジタルカメラが、データ通信手段またはメール通信手段を有するカメラ付き携帯電話として構成され、前記証明写真データ生成手段によって生成された証明写真データを前記データ通信機能もしくはメール機能を使用して送信相手先に送信可能としたことを特徴としたものである。
【００１６】
請求項９の発明は、請求項１ないし８のいずれか１の証明写真機能付きデジタルカメラと、該証明写真機能付きデジタルカメラから出力された証明写真データを入力し、該入力した証明写真データを印刷出力する印刷装置とを有する証明写真作成システムである。
【００１７】
請求項１０の発明は、請求項１ないし７のいずれか１の証明写真機機能付きデジタルカメラと、該証明写真機能付きデジタルカメラから送信された証明写真データを受信可能なセンタシステムとを有し、該センタシステムによって証明写真を用いた各種申請を行うサービスを提供できるようにした証明書申請システムであって、前記センタシステムは、証明写真の添付が必要な各種の申請書類のフォームを記憶する申請フォーム記憶手段と、前記証明写真機能付きデジタルカメラから送信された証明写真データと前記申請フォーム記憶手段に記憶した申請フォームとを合成して申請書類データを作成する申請書類データ作成手段と、該申請種類データ作成手段によって作成された申請書類データを証明写真機能付きデジタルカメラから指定された通信端末装置に送信する申請書類データ送信手段を有することを特徴としたものである。
【００１８】
請求項１１の発明は、請求項１０の発明において、前記センタシステムが、前記証明写真機能付きデジタルカメラから携帯電話のデータ通信機能またはメール機能を使用して、携帯電話のキャリヤのシステムを介して前記証明写真データを受信することを特徴としたものである。
【００１９】
請求項１２の発明は、請求項１０の発明において、前記センタシステムが、前記証明写真機能付きデジタルカメラの証明写真データを、インターネットを介して受信することを特徴としたものである。
【００２０】
請求項１３の発明は、請求項１０ないし１２のいずれか１の発明において、前記センタシステムが、該申請書類データ作成手段によって作成された申請書類データを、該当する申請先のシステムにオンラインで申請する電子申請実行手段を有することを特徴としたものである。
【００２１】
請求項１４の発明は、請求項１３の発明において、前記センタシステムが申請を行う申請先は、電子自治体、警察の免許証交付システム、旅券事務所のシステム、を含むことを特徴としたものである。
【００２２】
請求項１５の発明は、請求項１０ないし１４のいずれか１の発明において、該証明書申請システムが、印刷装置を有し、該印刷装置は、前記証明写真機能付きデジタルカメラから証明写真データを有線または無線にて受信する証明写真データ受信手段と、該証明写真データ受信手段が受信した証明写真データを前記センタシステムにオンラインで送信する証明写真データ送信手段と、前記センタシステムで作成された申請書類データを受信する申請書類データ受信手段と、該申請書類データ受信手段が受信した申請書類データを印刷出力する印刷手段とを有することを特徴としたものである。
【００２３】
【発明の実施の形態】
図１は、本発明の証明写真機能付きデジタルカメラの一実施形態を説明するためのブロック図である。本実施形態の証明写真機能付きデジタルカメラ１は、被写体を撮像し、デジタル画像データを出力する撮像手段１１と、各種証明書のフォームを記憶する証明写真フォーム記憶手段１２と、撮像手段１１から出力されたデジタル画像データ及び証明写真フォーム記憶手段１２で記憶された証明写真フォームを用いて証明写真データを生成する証明写真データ生成手段１３と、証明写真データ生成手段１３で生成された証明写真データを記憶する証明写真データ記憶手段１４と、証明写真データ生成手段１３が生成した証明書写真データを外部に出力する出力手段１５とを有している。
【００２４】
撮像手段１１は、例えば、光学レンズと、該光学レンズに入射した光を撮像するＣＣＤ等の撮像素子と、撮像素子から出力された信号をＡ／Ｄ変換するＡ／Ｄ変換素子とによって構成され、被撮影者のデジタル画像データを出力させることができる。また証明写真データ生成手段１３は、プログラムによって実現され、当該プログラムは、証明写真機能付きデジタルカメラ１のＲＯＭに記憶され、該カメラの制御手段が随時このプログラムを読み出して、また必要に応じてプログラムをＲＡＭ等の記憶手段に展開し、証明写真データ生成機能を実現する。
【００２５】
証明写真フォーム記憶手段１２は、各種の証明写真に適合するフォームを予め記憶しておくもので、証明写真機能付きデジタルカメラのＲＯＭ上に設定されている。証明写真フォームとして、自動車運転免許証や船舶免許証等の各種免許証、身分証明書、パスポート、外国人登録証、図書館利用カード、キャッシュカード、クレジットカード、従業員証、社員証、会員証、医療カード、学生証等、に対応したフォームを適宜設定して記憶させておくことができる。
【００２６】
証明写真データ記憶手段１４は、証明写真データ生成手段１３が記憶した証明写真データを記憶しておくもので、証明写真機能付きデジタルカメラ１のＲＡＭ上に設定される。また、証明写真データ記憶手段１４は、スメートメディア（Ｒ）やメモリスティック（Ｒ）等の外部記憶メディアとして設定してもよい。
【００２７】
出力手段１５は、外部器機とのインターフェースとして構成され、証明写真データ生成手段１３が生成し、証明写真データ記憶手段１４が記憶したデータもしくは証明写真データ生成手段１３が生成したデータを直接に外部器機に対して送信する。また、スメートメディア（Ｒ）やメモリスティック（Ｒ）等の外部記憶メディアに証明写真データを出力させるようにして、ユーザがその記憶メディアを利用して任意にプリンタを使用して証明写真を印刷出力させるようにすることもできる。
【００２８】
すなわち、本実施形態によれば、証明写真データ生成手段１３は、撮像手段１１によって撮影した被撮影者の画像を、証明写真フォーム記憶手段１２に記憶したフォームを用いて合成し、証明写真データを作成して出力させることができる。これによって、ユーザは、本実施形態に関わるデジタルカメラを用いることによって、簡単に証明写真を撮影して出力させることができる。出力先として、例えば、ＰＣに接続されたプリンタを選択することにより、ユーザは証明写真を簡単に印刷出力させることができるようになる。
【００２９】
図２は、本発明の証明写真機能付きデジタルカメラの他の実施形態を説明するためのブロック図である。図２に示す証明写真機能付きデジタルカメラ１は、図１の構成に加えて、撮像情報や操作入力情報、あるいはカメラの設定情報等を表示する表示手段１６と、その表示手段１６に対して証明写真フォーム記憶手段１２に記憶した証明写真フォームを提示する証明写真フォーム提示手段１７と、証明写真フォーム提示手段１７が提示した証明写真フォームから、証明写真データを生成するための特定の証明写真フォームの選択を受け付けるフォーム選択手段１８とを有している。そして証明写真データ生成手段１３は、フォーム選択手段１８が受け付けた証明写真フォームを用いて、証明写真データを生成する。
【００３０】
表示手段１６は、デジタルカメラに一般に使用されるＬＣＤが好適に用いられる。また、証明写真フォーム提示手段１７とフォーム選択手段１８は、プログラムによって実現され、当該プログラムは証明写真機能付きデジタルカメラのＲＯＭに記憶され、ＣＰＵ等の制御手段が随時このプログラムを読み出して、あるいはＲＡＭ等に展開して、これら機能を実行する。また証明写真フォーム提示手段１７が表示手段１６に提示したフォームの選択は、証明写真機能付きデジタルカメラが備える図示しない操作入力手段に対してユーザが操作入力を行うことにより実行される。操作入力手段は例えば、キースイッチ等によって実現される。
【００３１】
上記の構成によって、証明写真フォーム記憶手段１２に記憶され、証明写真フォーム提示手段１７によって提示された各種の証明写真フォームのなかから、ユーザは所望の証明写真フォームを選択することができ、各種用途の証明写真を容易に作成することができるようになる。
【００３２】
図３は、証明写真フォーム提示手段１７によるフォーム提示のための表示画面の一例を示す図である。本証明写真機能付きデジタルカメラにおいて、ユーザは証明写真モードを選択することができる。証明写真の選択モードにおいては、予め証明写真フォーム記憶手段１２に記憶されている証明写真フォームの一覧（ここでは、パスポート用、免許証用、履歴書用、その他）が表示される。
【００３３】
ユーザは、上記のごとくの証明写真フォームの一覧から、所望の証明写真フォームを選択することによって、フォーム選択手段１８に選択フォームが入力され、証明写真データ生成手段１３が、選択された証明写真フォームを使用して撮像手段１１にて撮像された画像から証明写真データを生成する。
【００３４】
図４は、本発明の証明写真機能付きデジタルカメラの他の実施形態を説明するためのブロック図である。図４に示す証明写真機能付きデジタルカメラ１は、図２の構成に加えて、被写体となる人物の撮像範囲を表示手段１６に表示させるための撮像範囲指定手段１９を有するものである。撮像範囲指定手段１９は、プログラムによって実現され、当該プログラムは証明写真機能付きデジタルカメラのＲＯＭに記憶され、ＣＰＵ等の制御手段が随時このプログラムを読み出して、あるいはＲＡＭ等に展開して、この機能を実行する。
【００３５】
図５は、本実施形態に関わる撮像範囲指定手段１９によって指定された撮像範囲の表示例を示す図である。図５に示すように、撮像範囲指定手段１９によって、証明写真機能付きデジタルカメラの表示手段１６に、表明写真用の矩形の枠を表示させる。ユーザが、証明写真を撮影するときに、上記の矩形の枠の中に被撮影者の画像が入るようにして、撮影を行う。これによって、証明写真データ生成手段１３による証明写真データの生成を合理的に実行できるようにする。
【００３６】
このときに、撮影範囲指定手段１９は、フォーム選択手段１８によって選択された証明写真フォームに従って、矩形枠の形状を変化させるようにしてもよい。すなわち、証明写真によっては、縦横の長さ比が異なるため、ユーザ所望の証明写真の種類に応じて矩形枠の大きさを変化させることで、証明写真データ生成手段１３は、さらに合理的に証明写真データの生成を行うことができる。
【００３７】
図６は、本実施形態に関わる撮像範囲指定手段１９によって指定された撮像範囲の他の表示例を示す図である。図６に示すように、撮像範囲指定手段１９によって、証明写真機能付きデジタルカメラの表示手段１６に、表明写真用の矩形の枠及び顔の大きさを指定する楕円枠を表示させる。ユーザが、証明写真を撮影するときに、上記の矩形の枠の中に被撮影者が入るように、かつ上記楕円枠の中に被撮影者の顔が入るようにして、撮影を行う。
【００３８】
このときに、撮影範囲指定手段１９は、フォーム選択手段１８によって選択された証明写真フォームに従って、矩形枠及び楕円枠の形状を変化させるようにしてもよい。すなわち、証明写真によっては、縦横の長さ比及び顔位置の条件が異なるため、ユーザ所望の証明写真の種類に応じて矩形枠の大きさ及び楕円枠の大きさを変化させることで、証明写真データ生成手段１３は、さらに合理的に証明写真データの生成を行うことができる。
【００３９】
上記図５ないし図６に示すような撮像範囲を指定するときに、証明写真データ生成手段１３は、撮像範囲指定手段１９によって指定された矩形または、矩形及び楕円形の枠に従って、証明写真データの生成に用いるデジタル画像データの範囲を決定し、使用する証明写真フォームに従って、デジタル画像データの変倍処理を行って、証明写真データを生成する。
【００４０】
図７は、本発明の証明写真機能付きデジタルカメラの更に他の実施形態を説明するためのブロック図である。図７に示す証明写真機能付きデジタルカメラ１は、図４の構成に加えて、撮像手段１１によって撮像されたデジタル画像データから、被写体となった人物部分の画像データを判別する人物データ判別手段２０を有している。人物データ判別手段２０は、撮像手段１１によって撮像されたデジタル画像データの人物エッジを検出し、人物データ部分を判別してその判別情報を証明写真データ生成手段１３に出力する。
【００４１】
そして証明写真データ生成手段１３は、人物データ判別手段２０が判別した人物部分の画像データのみを用い、人物背景を単色のベタにして証明写真データを生成する。これによって、背景がどのような場合であっても、簡単に証明写真を作成することができるようになる。
【００４２】
人物データ判別手段２０は、プログラムによって実現され、当該プログラムは証明写真機能付きデジタルカメラのＲＯＭに記憶され、ＣＰＵ等の制御手段が随時このプログラムを読み出して、あるいはＲＡＭ等に展開して、この機能を実行する。
【００４３】
図８は、本発明の証明写真機能付きデジタルカメラの更に他の実施形態を説明するためのブロック図である。図８に示す証明写真機能付きデジタルカメラ１は、図７の構成に加えて、出力手段１５によって証明写真データを出力する外部の印刷装置の仕様を設定する印刷装置設定手段２１を有している。印刷装置設定手段２１は、例えば、証明写真データを出力する印刷装置の解像度データを保持しておく。
【００４４】
証明写真データ生成手段１３は、印刷装置設定手段２１で設定された印刷装置の仕様に従って、生成する証明写真データの大きさを決定する。これにより、外部の印刷装置にて印刷出力される証明写真の大きさを規定することができ、印刷装置側の設定を行うことなく簡単に証明写真を出力させることができる。
【００４５】
印刷装置設定手段２１は、プログラムによって実現され、当該プログラムは証明写真機能付きデジタルカメラのＲＯＭに記憶され、ＣＰＵ等の制御手段が随時このプログラムを読み出して、あるいはＲＡＭ等に展開して、この機能を実行する。また、印刷装置設定手段２１によって設定された印刷装置の仕様データは、証明写真機能付きデジタルカメラ１のＲＡＭ等の記憶手段に記憶させておき、証明写真データ生成手段１３が適宜この仕様データを読み出して、証明写真データの生成に用いるようにする。
【００４６】
図９は、本発明の証明写真機能付きデジタルカメラの更に他の実施形態を説明するためのブロック図である。図９に示す証明写真機能付きデジタルカメラ１は、データ通信手段及び／またはメール通信手段を有するカメラ付き携帯電話として構成され、証明写真データ生成手段１３によって生成された証明写真データを携帯電話のデータ通信機能もしくはメール機能を使用して送信相手先に送信可能としたものである。
【００４７】
図９の実施形態は、図１に示すごとくの証明写真機能付きデジタルカメラの機能を有するデジタルカメラ部１０と、携帯電話の機能を持った携帯電話部２２とに代って構成され、現在普及しているカメラ付き携帯電話として実現されるものである。携帯電話部２２は、携帯電話が通常有するデータ通信機能及び／またはメール機能を実現するデータ通信／メール通信手段２３を備えている。そして、デジタルカメラ部１０の出力手段１５から出力された証明写真データを、携帯電話部２２のデータ通信／メール通信手段２３によって、ユーザ所望の送信相手先に送信することができる。
【００４８】
例えば、本実施形態の証明写真機能付きデジタルカメラを用いて証明写真を撮影したときに、上記の携帯電話による通信機能を用いて、撮影者所有の自宅のＰＣに証明写真データを送信しておく。そして、撮影者が帰宅してＰＣを起動させることにより、付属のプリンタから証明写真を簡単に出力させることができるようになる。
【００４９】
なお、図９に示す実施形態では、デジタルカメラ部１０が、上記図１に示したデジタルカメラの機能を有するものとして説明したが、図１の構成のみならず、図２，図４，図７，図８のいずれかの証明写真機能付きデジタルカメラの機能を携帯電話に組み込むようにしてもよい。
【００５０】
図１０は、本発明による証明写真作成システムの一実施形態を説明するためのブロック図である。本実施形態の証明写真作成システムは、上述した証明写真機能付きデジタルカメラ１と、その証明写真機能付きデジタルカメラ１から出力された証明写真データを入力し、入力した証明写真データを印刷出力する印刷装置２とを有するシステムである。
【００５１】
証明写真機能付きデジタルカメラ１と印刷装置２とは、一体型にしてカメラ付き印刷装置として構成してもよく、また、証明写真撮影用のボックスに適用してもよい。また、証明写真機能付きデジタルカメラ１と印刷装置２とを分離して構成し、これらを有線または無線で接続するようにしてもよい。
【００５２】
本実施形態の証明写真作成システムによって、証明写真の撮影から証明写真の印刷出力までを簡易なシステムで簡単に実行することができるようになる。
【００５３】
図１１は、本発明の証明書申請システムの実施形態を説明するための図である。本実施形態の証明書申請システムは、上述した証明写真機機能付きデジタルカメラ１（１ａ，１ｂ，１ｃ）と、証明写真機能付きデジタルカメラ１から送信された証明写真データを受信可能なセンタシステム３とを有し、センタシステム３によって証明写真を用いた各種申請を行うサービスを提供できるようにしたシステムである。
【００５４】
センタシステム３は、証明写真の添付が必要な各種の申請書類のフォームを記憶する申請フォーム記憶手段３１と、証明写真機能付きデジタルカメラ１（１ａ，１ｂ、１ｃ）から送信された証明写真データと申請フォーム記憶手段３１に記憶した申請フォームとを合成して申請書類データを作成する申請書類データ作成手段３２と、申請種類データ作成手段３２によって作成された申請書類データを証明書写真機能付きデジタルカメラ１から指定された通信端末装置に送信する申請書類データ送信手段３３を有している。
【００５５】
上記のような構成によって、証明写真機能付きデジタルカメラ１（１ａ，１ｂ、１ｃ）を使用するユーザは、該デジタルカメラ１で作成した証明写真データをセンタシステム３に送信することによって、センタシステムでその証明写真データを使用した各種の申請書類データを作成してもらうことができる。センタシステム３で作成した申請書類データは、例えば、ユーザ宅のＰＣに送信してもらうことにより、そのＰＣに接続したプリンタから申請書類を出力させることができ、ユーザは各種申請をその出力書類を用いて実行することができる。申請書類の種類の指定は、例えば、証明写真機能付きデジタルカメラ１からセンタシステム３に送信する証明写真データに、申請書類の種類を示す属性情報を付加させておけばよい。
【００５６】
図１１に示す構成において、証明写真機能付きデジタルカメラ１ａは、ＰＣ６に対して証明写真データを転送し、ＰＣ６が公衆回線網７を介してセンタシステム３に証明写真を送信する。ＰＣ６によるデータの送信は、インターネットによるデータ通信やウェブメールを使用することができる。このときに、センタシステム３では、証明写真機能付きデジタルカメラ１ａの証明写真データを、インターネットを介して受信する。
【００５７】
また、図１１における第２の証明写真機能付きデジタルカメラ１ｂは、上述したカメラ付き携帯電話として構成されたものであり、携帯電話のデータ通信機能またはメール機能を使用して、携帯電話のキャリヤのシステムを介して前記証明写真データをセンタシステム３に送信する。
【００５８】
センタシステム３は、さらに、申請書類データ作成手段３２によって作成された申請書類データを、該当する申請先のシステムにオンラインで申請する電子申請実行手段３４を有している。すなわち、センタシステム３では、証明写真機能付きデジタルカメラ１（１ａ，１ｂ，１ｃ）から送信された証明写真データを用いて作成した申請書類データを、所定の電子申請先システム５に送信することによって、ユーザに対して、電子申請書類の作成及び申請サービスを提供することができる。
【００５９】
電子申請先としては、例えば、電子自治体のシステム、警察の免許証交付システム、旅券事務所のシステム等、電子申請を受け付けるシステムを設定することができ、その他各種の証明書においても、電子申請を受け入れる環境が整っている電子申請先に対し、随時電子申請を実行するサービスを提供できるようにする。
【００６０】
また、公衆回線網７にはセンタシステム３と通信できる印刷装置４が接続される。印刷装置４は、証明写真機能付きデジタルカメラ１ｃから証明写真データを有線または無線にて受信する証明写真データ受信手段４１と、証明写真データ受信手段４１が受信した証明写真データをセンタシステム３にオンラインで送信する証明写真データ送信手段４２と、センタシステム３で作成された申請書類データを受信する申請書類データ受信手段４３と、申請書類データ受信手段４３が受信した証明書類データを印刷出力する印刷手段４４と有する。
【００６１】
上記の構成によって、証明写真機能付きデジタルカメラ１ｃで撮影した証明写真データを印刷装置４に転送し、印刷装置４がオンラインを介してセンタシステム３にその証明写真データを送信することができる。そして、センタシステム３からは、送信した証明写真データを使用した申請書類が印刷装置４に返信される。印刷装置４では返信された申請書類を印刷出力する。
【００６２】
例えば、上記のごとくの印刷装置を、コピー機能を有するＭＦＰ（ＭｕｌｔｉＦｕｎｃｔｉｏｎ  Ｐｒｉｎｔｅｒ）として構成し、コンビニエンスストアや郵便局等の公共施設に設置しておく。ユーザは、証明写真機能付きデジタルカメラを上記のようなコンビニエンスストア等に持っていき、撮影した証明写真データを印刷装置４に転送するだけで、印刷装置４から申請書類を出力させることができる。またこのときに、センタシステム３の電子申請実行手段３４を利用して、そのまま電子自治体等に電子申請を行うことができるようになる。
【００６３】
【発明の効果】
以上の説明から明らかなように、本発明によれば、簡易に各種証明写真を撮影できるようにした証明写真機能付きデジタルカメラと、そのデジタルカメラで撮影した証明写真データを印刷できるようにした証明写真作成システムと、上記の証明写真付きデジタルカメラによって撮影した証明写真データを用いて申請書類の作成と申請サービスとを供することができるようにした証明書申請システムを提供することができる。
【図面の簡単な説明】
【図１】本発明の証明写真機能付きデジタルカメラの一実施形態を説明するためのブロック図である。
【図２】本発明の証明写真機能付きデジタルカメラの他の実施形態を説明するためのブロック図である。
【図３】証明写真フォーム提示手段によるフォーム提示のための表示画面の一例を示す図である。
【図４】本発明の証明写真機能付きデジタルカメラの他の実施形態を説明するためのブロック図である。
【図５】本実施形態に関わる撮像範囲指定手段によって指定された撮像範囲の表示例を示す図である。
【図６】本実施形態に関わる撮像範囲指定手段によって指定された撮像範囲の他の表示例を示す図である。
【図７】本発明の証明写真機能付きデジタルカメラの更に他の実施形態を説明するためのブロック図である。
【図８】本発明の証明写真機能付きデジタルカメラの更に他の実施形態を説明するためのブロック図である。
【図９】本発明の証明写真機能付きデジタルカメラの更に他の実施形態を説明するためのブロック図である。
【図１０】本発明による証明写真作成システムの一実施形態を説明するためのブロック図である。
【図１１】本発明の証明書申請システムの実施形態を説明するための図である。
【符号の説明】
１，１ａ，１ｂ，１ｃ…証明写真機能付きデジタルカメラ、２…印刷装置、３…センタシステム、４…印刷装置、５…電子申請先システム、６…ＰＣ、７…公衆回線網、１０…デジタルカメラ部、１１…撮像手段、１２…証明写真フォーム記憶手段、１３…証明写真データ生成手段、１４…証明写真データ記憶手段、１５…出力手段、１６…表示手段、１７…証明写真フォーム提示手段、１８…フォーム選択手段、１９…撮像範囲指定手段、２０…人物データ判別手段、２１…印刷装置設定手段、２２…携帯電話部、２３…データ通信／メール通信手段、３１…申請フォーム記憶手段、３２…申請書類データ作成手段、３３…申請書類データ送信手段、３４…電子申請実行手段、４１…証明写真データ受信手段、４２…証明写真データ送信手段、４３…申請書類データ受信手段、４４…印刷手段。
【図１】
2005033501.tif 000003
【図２】
2005033501.tif 000004
【図３】
2005033501.tif 000005
【図４】
2005033501.tif 000006
【図５】
2005033501.tif 000007
【図６】
2005033501.tif 000008
【図７】
2005033501.tif 000009
【図８】
2005033501.tif 000010
【図９】
2005033501.tif 000011
【図１０】
2005033501.tif 000012
【図１１】
2005033501.tif 000013